(57)【特許請求の範囲】
【請求項１】
硬質ボードの上半身載置部と、柔軟材で形成した下半身載置部で構成され、両載置部を連結して成ることを特徴とする救出搬送具。
【請求項２】
両載置部を着脱可能に連結して成ることを特徴とする請求項１記載の救出搬送具。
【請求項３】
上半身載置部は長四角形の合成樹脂製であって、短尺幅方向の中央部は長尺幅に亘って平坦面とし、側端部は曲面を形成した立上り面とし、輪郭線に沿った周囲に複数の透孔を設け、当該透孔を持ち手用、ベルト掛け渡し用、或いは下半身載置部との連結用としたことを特徴とする請求項１又は２記載の救出搬送具。
【請求項４】
上半身載置部の輪郭線に沿った周囲以外の部分にも複数の透孔を散設したことを特徴とする請求項３記載の救出搬送具。
【請求項５】
上半身載置部は透視性を有する合成樹脂製であることを特徴とする請求項３又は４記載の救出搬送具。
【請求項６】
上半身載置部材の合成樹脂材はポリプロピレン製である請求項３乃至５のいずれかに記載の救出搬送具。
【請求項７】
下半身載置部は矩形であって、持ち手を有することを特徴とする請求項１乃至６のいずれかに記載の救出搬送具。
【請求項８】
下半身載置部は臀部と上腿部を載置保持できる大きさで、ターポリン製であることを特徴とする請求項１乃至７のいずれかに記載の救出搬送具。
【請求項９】
下半身載置部に上半身載置部との連結用部材を設けたことを特徴とする請求項１乃至８のいずれかに記載の救出搬送具。
【発明の詳細な説明】
【技術分野】
【０００１】
本発明は救急時の負傷者等の救出や搬送のために用いる具に関するものである。
【背景技術】
【０００２】
通常は、負傷の程度により負傷者を担架に載せ搬送するのであるが、負傷者をどのように動かすかは非常に重要な問題で、救助隊員もけがの種類や程度がわからない場合があり、救助活動によって負傷者のけがが悪化することも考えられる。
従って、従来より、事故等の救急医療の現場においては、傷病者を病院へ搬送する際に使用する担架は重要である。
【０００３】
そこで、例えば特表２０００−５０５６６６号公報では、細長い板構造体と、該板構造体の外辺に配置され、支持もしくは補強する複数の管状部材と、持ち運べるように前記板構造体上に配置した複数の持ち運び手段とを含み、前記板構造体は、堅固な第一の板と、密閉気孔を持ち前記第一の板に当接して配置された断熱性の第二の板と、該第二の板に当接するとともに前記第一の板から見てちょうど反対側に配置される滑らかな第三の板より成る救急装置が開示されている。
【０００４】
また、実用新登録第３１４９８３８号公報では、傷病者を救急搬送するバックボードに着脱可能に取り付けられ、傷病者が横たわることができると共にバックボードへ傷病者を固定しうる薄型板状のマット部材からなる救急補助器具が開示されている。
【０００５】
そして、実開平０６−１１７２７号公報では、本体は、剛性な板体の前後左右端縁部分を上方に湾曲し皿状に形成され、本体の前部には牽引索が取着され、本体の端縁には防護体が取着されてなる搬送具が開示されている。
【０００６】
さらに、実開平０６−５０６２５号公報では、上下にわずかな隙間を置いて平行に配置した２枚の平板間に、弾性体を長手方向に適宜間隔を置いて挟持させ、この弾性体どうしの各間において下側の平板の下面に平板の短辺方向と平行な板状脚部を適宜間隔を置いて設け、表面摩擦係数の小さい布等を素材として無限軌道に形成したベルトを弾性体どうしの各間を通って下側の平板の上面及び板状脚部の表面に沿って摺動回転し得るように装着し、また、平板の側部に、把手を着脱自在に取り付けるための取付部材を取着するようにした患者移動用具が開示されている。
【先行技術文献】
【特許文献】
【０００７】
【特許文献１】特表２０００−５０５６６６号公報
【特許文献２】実用新案登録第３１４９８３８号公報
【特許文献３】実開平０６−１１７２７号公報
【特許文献４】実開平０６−５０６２５号公報
【発明の概要】
【発明が解決しようとする課題】
【０００８】
上記のようにこの種の搬送具には夫々工夫されているけれど、より一層の軽量化が望まれ、収容した後でも外部からの身体状況の確認の容易化や応急措置が施せるようにすること、更には、全身を支承するため大形の具となって取り扱いが不便であったり、狭い場所では使用が制限される等、安全で迅速に収容できるような形態とすることの課題がある。
【０００９】
また、従来から用いられているターポリン製の担架はコンパクトで柔軟性があり日本の狭い住環境には好都合であるけれど、柔軟さの故に脊椎の保護に欠け、また搬送者が無理な姿勢を余儀なくされて負担が重く腰痛等の原因となっている。
【００１０】
そこで、本発明は斯かる課題を解決することを目的とする救出搬送具を提供せんとするものである。
【課題を解決するための手段】
【００１１】
本発明に係る救出搬送具は、硬質ボードの上半身載置部と、柔軟材で形成した下半身載置部で構成され、両載置部を連結して成ることを特徴とするものであり、両載置部を着脱可能に連結したものとしてもよい。
【００１２】
そして、上半身載置部は長四角形の合成樹脂製であって、短尺幅方向の中央部は長尺幅に亘って平坦面とし、側端部は曲面を形成した立上り面とし、輪郭線に沿った周囲に複数の透孔を設け、当該透孔を持ち手用、ベルト掛け渡し用、或いは下半身載置部との連結用とすることができる。
また、上半身載置部の輪郭線に沿った周囲以外の部分にも複数の透孔を散設したものとしてもよい。
【００１３】
上半身載置部は透視性を有する合成樹脂製が望ましく、中でもポリプロピレン製が最適である。
【００１４】
下半身載置部は矩形であって、持ち手を有し、また、臀部と上腿部を載置保持できる大きさで、ターポリン製で、更に、上半身載置部との連結用部材を設けるとよい。
【発明の効果】
【００１５】
本発明に係る救出搬送具は、硬質ボードの上半身載置部と、柔軟材で形成した下半身載置部で構成されるため、上半身部は硬質のボードで脊椎の保護を確実に為し得ると共に、従来のボード型の担架の利点を承継でき、下半身部は柔軟性のある載置部で保護され上下半身の位置が決めやすく安定した搬送が可能となる効果を発揮するものである。
【００１６】
二つの部材で構成するため、重ねたり、取り外したりして携帯・使用が可能で、取り扱いが容易となり、両部材に角度をつけて使用することもできるため、車内等からの搬出が容易に行なえる等、搬送用や固定・救助用の多用途に活用できる効果を発揮する。
【００１７】
そして、上半身載置部の短尺幅方向の中央部は長尺幅に亘って平坦面を成し、両端部は曲面を形成した立上り面と成っているため、側方へズリ落ちることが無く安定して収容できると共に、負傷者を持ち上げる事無く側面から背面へ挿入して収容することが可能である効果を有する。
【００１８】
また、上半身載置部の中央部が平坦面であり、合成樹脂製で硬さも有するから心臓マッサージの圧迫にも有効に支障なく行えるものであり、狭い階段等では滑らせて搬送することも可能であり、輪郭線に沿った周囲の透孔のうち、長尺辺に沿った透孔は持ち手用に利用して持ち上げての搬送ができる効果を有する。
【００１９】
また、長尺幅に沿った透孔を利用して、ベルトを掛け渡して負傷者をボードに固定すれば、負傷者等をより安定して収容及び搬送を行える効果を有し、必要に応じてボードを起こして椅子状に保持固定できるものであり、上述の背中の部分の観察もより容易となる効果を発揮する。
【００２０】
さらに、短尺辺に沿った透孔を利用して、頭部を載置する側にヘッドイモビライザーを装着したり、他方の側の透孔は下半身載置部との連結に利用することができる効果も有する。
そして、輪郭線に沿った周囲以外の部分に散設した透孔は軽量化を図ると共に、手当てに利用することも可能となる効果を有する。
【００２１】
上半身載置部は透視性を有する合成樹脂製とすることで、負傷者を載置収容した後も、背中の部分はボードを透過して観察でき出血等の状態を容易に確認ができ、また、ポリプロピレン製のボードとすることで、更なる軽量化が図られ、取り扱いがより至便となる効果を発揮する。
【００２２】
下半身載置部は矩形で、臀部と上腿部を載置保持できる大きさで充分に下半身を支持して救助・搬送が可能であり、ターポリン製とすることで強度と柔軟性を得られ、持ち手を設けたことで支持搬送と取り扱いが至便となる効果を発揮するものである。
【図面の簡単な説明】
【００２３】
【図１】本発明の具の一実施の形態を示す平面図である。
【図２】上半身載置部の一実施の形態を示す平面図である。
【図３】図２のＸ−Ｘ線の断面図である。
【図４】一使用の状態を示す上半身載置部の平面図である。
【発明を実施するための形態】
【００２４】
本発明の実施の形態を図面に基づいて説明する。
図１は本発明の救出搬送具の一実施の形態を示す平面図であり、図２は上半身載置部の平面図、図３は図２のＸ−Ｘ線の断面図である。
【００２５】
本発明の救出搬送具は、硬質ボードの上半身載置部１と、柔軟材で形成した下半身載置部７で構成され、両載置部１、７を連結用ベルト８で連結してある。
【００２６】
上半身載置部１は硬質の合成樹脂で整形したもので、透視性を有する長四角形であって、短尺幅方向の中央部２は長尺幅に亘って平坦面を成し、両端部は曲面を形成した立上り面４と成っている。
輪郭線に沿った周囲には複数の長孔５を設け、また、中央部２及び中央部２から立ち上がり面４にかけて複数の透孔３が散設してある。
透孔３は、頭部が載置する部分を避けて設けられ、透孔により頭部に違和感があったり、髪の毛が引っかかったりするのを防止している。
【００２７】
合成樹脂は具体的にはポリプロピレンポリカーボネイトやアクリルやポリプロピレン等が挙げられるが、ポリプロピレンが最も比重が軽く軽量となるため最適といえる。
【００２８】
上半身載置部１の形状である長四角形の隅部は弧状に丸く処理し、端部も角張らないように面取り処理がなされている。
また、上半身載置部１は救助者や負傷者等の上半身（頭部及び背中部）を支承・収容できる大きさとし、短尺幅方向の両端部の曲面は緩やかな立上りで充分であり、必ずしも９０度までの上向きとしなくて良い。
【００２９】
輪郭線に沿った立上り面４に形成される長孔５は、搬送時の指を通して握持するために利用され、短尺辺に沿って形成した長孔５は、頭部を載置する側にヘッドイモビライザーを装着し、他方の側に下半身載置部７を連結するのに利用するものである。
【００３０】
透孔３の形状は図面の円形に限定されるものでなく、任意の形状及び大きさで軽量化を図ることができる。
しかし、強度との整合が採れる範囲で設計することは言うまでもない。
また、透孔３は、救助者をボードに乗せたままボードの裏面から手当てをすることに利用できる。
【００３１】
下半身載置部７はターポリン製で、柔軟性と強靭性を備え、下半身部の支持搬送に充分に耐える素材である。
形状は矩形を成し、臀部と上腿部を載置保持できる大きさとしてあり、上半身載置部１に連続する側辺に持ち手９を複数取り付けられている。
また、上半身載置部１の短尺辺の近くの長孔５に係止して着脱可能にワンタッチで連結できる取り付けベルト８が取り付けられている。
【００３２】
図４は本発明の一の使用の形態を示す上半身載置部１の平面図であり、両端部の立上り面４の長孔５に固定用ベルト６を掛け渡したものである。
固定用ベルト６を掛け渡したボード本体１の短尺幅方向の両端部の曲面が緩やかな立上りと成っているため、ベルトの固定が容易である。
【００３３】
上記の実施の形態で説明した上半身載置部及び下半身載置部の具体的な素材や形状等は一例であり、また、各透孔の形状、更には連結用部材として取り付けベルトに限定されるものではなく、本発明の趣旨を逸脱しない限り、種々に形態等を変更することができるものである。
【符号の説明】
【００３４】
１  上半身載置部
２  中央部
３  透孔
４  立上り面
５  長孔
６  固定用ベルト
７  下半身載置部
８  取り付けベルト
９  持ち手
【図１】
0005270618.tif 000002
【図２】
0005270618.tif 000003
【図３】
0005270618.tif 000004
【図４】
0005270618.tif 000005